(57)【特許請求の範囲】
【請求項１】
固体層で覆われる本管に通水した水を分岐管を経て散水ノズルから外部に散水させるために、前記本管に前記分岐管を接続する分岐継手であって、
弾性材料からなり、前記分岐管の外径よりも小さくかつ前記本管に設けられた分岐孔に適合する内径を有する短管状に形成され、上端内周に下方内向きに傾斜するテーパ部分を有しかつそこから内部に前記分岐管が圧入される分岐管接続部、
前記分岐管接続部の内周面に設けられ、前記分岐管接続部の内部に前記分岐管を圧入したときの圧縮率が前記分岐管接続部の厚みの圧縮率よりも大きくなるように設定されてその位置での前記分岐管との間の止水性を向上させる突条リング、
前記分岐管接続部の下方にこれと一体にかつ当該分岐管接続部の厚みよりも厚みを薄くして形成され、下端外周に上方外向きに傾斜するテーパ部分を有しかつそこから前記分岐孔に挿入されるとともに、前記分岐管が内部に圧入される分岐孔挿入部、
弾性材料からなり、前記分岐管接続部の外周に拡がって形成されるつば部、および
前記つば部と前記本管の外表面との間に設けられる粘着剤層を備え、
前記分岐管接続部の内部に前記分岐管を圧入したときの前記分岐管接続部の厚みの圧縮率が１０％以上５０％以下となるように前記分岐管接続部の径寸法を設定した、分岐継手。
【請求項２】
本管に通水した水を分岐管を経て散水ノズルから散水させるために、前記本管に前記分岐管を接続する分岐継手であって、
弾性材料からなり、前記分岐管の外径よりも小さくかつ前記本管に設けられた分岐孔に適合する内径を有する短管状に形成され、上端内周に下方内向きに傾斜するテーパ部分を有しかつそこから内部に前記分岐管が圧入される分岐管接続部、
前記分岐管接続部の内周面に設けられ、前記分岐管接続部の内部に前記分岐管を圧入したときの圧縮率が分岐管接続部の厚みの圧縮率よりも大きくなるように設定されてその位置での前記分岐管との間の止水性を向上させる突条リング、
前記分岐管接続部の下方にこれと一体にかつ当該分岐管接続部の厚みよりも厚みを薄くして形成され、下端外周に上方外向きに傾斜するテーパ部分を有しかつそこから前記分岐孔に挿入されるとともに、前記分岐管が内部に圧入される分岐孔挿入部、
弾性材料からなり、前記分岐管接続部の外周に拡がって形成され、前記本管へ押し付けられるつば部、および
前記つば部と前記本管の外表面との間に設けられる粘着剤層を備え、
前記分岐管接続部の内部に前記分岐管を圧入したときの前記分岐管接続部の厚みの圧縮率が１０％以上５０％以下となるように前記分岐管接続部の径寸法を設定した、分岐継手。
【請求項３】
本管に取り付けられた請求項１または２記載の分岐継手、
前記分岐継手の分岐管接続部に挿入される分岐管、
前記分岐管に装着される散水ノズル、および
前記散水ノズルの上端開口を露出させて少なくとも前記分岐継手を被覆する固体層を備える、散水ブロック。
【発明の詳細な説明】
【技術分野】
【０００１】
この発明は、分岐継手および散水装置に関し、特にたとえば、除雪または融雪（消雪）、ヒートアイランド対策あるいは農園における散水などに用いられる、散水装置およびそれに用いる分岐継手に関する。
【背景技術】
【０００２】
従来の分岐継手の一例が、特許文献１〜３に開示されている。
【０００３】
特許文献１の消雪用送水装置では、送水管に設けられた孔にソケットが嵌められ、ソケットは溶接や接着などにより送水管に接合される。そして、そのソケットの中に上部短管を挿入することにより、上部短管はソケットを介して送水管に接続される。
【０００４】
特許文献２の路面散水融雪システムにおける配管構造では、ソケット管部を送水管の連結孔に合わせながら鍔板部を送水管の外周面に密着し、この間を接着して、ソケット体は送水管に固定される。そして、ソケット体のソケット管部の中に分岐管を挿入することにより、分岐管はソケットを介して送水管に接続される。
【０００５】
特許文献３の消雪用散水ノズル付き配管ブロックでは、本管の開口に形成された雌ねじにソケットに設けられた雄ねじを螺合して、ソケットは本管に固定される。そして、ソケットの大径短管部に立上管を挿入することにより、立上管はソケットを介して本管に接続される。
【特許文献１】実開平７−３４０２７号公報［E01H 5/10、E01C 11/26］
【特許文献２】特開平９−１５８１４２号公報［E01H 3/04、E01H 5/10］
【特許文献３】特開２００２−３５６８２４号公報［E01H 5/10、F16L 41/03］
【特許文献４】特開２００１−１６４５３１号公報［E01H 5/10、E01C 11/22 11/24 E01C 3/04］
【特許文献５】特開２０００−２７１３７号公報［E01H 3/04］
【発明の開示】
【発明が解決しようとする課題】
【０００６】
特許文献１の従来技術では、上部短管および送水管の周囲にコンクリートを流し入れると、コンクリートは硬化熱を発し、温度変化を生じる。一般的に樹脂で形成された送水管の長さは、温度変化によりコンクリートに比べて大きく伸縮するため、送水管の孔にソケットを嵌めて溶接などしただけでは、その接合部分に送水管の熱伸縮による力が集中して作用し、接合部分が破損してしまう。これにより、送水管と上部短管との間の止水性が維持されない。
【０００７】
これに対して、特許文献２の従来技術では、鍔板部が送水管の熱伸縮による力の集中を緩和するため、ソケットと送水管との接合部は破損しにくくなっている。しかし、ソケット体を送水管に装着する際、ソケット管部を送水管の連結孔に合わせながら鍔板部を送水管の外周面に接着する必要があり、接着剤の用意や塗布など取り付け作業に手間を要する。
【０００８】
また、特許文献３の従来技術では、本管の開口およびソケットにねじを形成し、しかもねじを螺合する必要があり、取り付け作業に手間を要する。また、本管の熱伸縮等による力がねじ部に集中して作用し、ねじ部が破損することにより、本管と立ち上り管との間から漏水するおそれがある。
【０００９】
なお、特許文献４および５には、この発明の背景となる消雪用ブロックや配管ブロックが開示されているが、分岐継手に特徴を有するものではない。
【００１０】
それゆえに、この発明の主たる目的は、新規な分岐継手および散水装置を提供することである。
【００１１】
この発明の他の目的は、取り付け作業が簡単で、安定した止水性能を発揮することができる、分岐継手および散水差装置を提供することである。
【課題を解決するための手段】
【００１２】
この発明は、上記の課題を解決するために、以下の構成を採用した。なお、括弧内の参照符号および補足説明等は、この発明の理解を助けるために後述する実施形態との対応関係を示したものであって、この発明を何ら限定するものではない。
【００１３】
第１の発明は、固体層で覆われる本管に通水した水を分岐管を経て散水ノズルから外部に散水させるために、本管に分岐管を接続する分岐継手であって、弾性材料からなり、分岐管の外径よりも小さくかつ本管に設けられた分岐孔に適合する内径を有する短管状に形成され、上端内周に下方内向きに傾斜するテーパ部分を有しかつそこから内部に分岐管が圧入される分岐管接続部、分岐管接続部の内周面に設けられ、分岐管接続部の内部に分岐管を圧入したときの圧縮率が分岐管接続部の厚みの圧縮率よりも大きくなるように設定されてその位置での分岐管との間の止水性を向上させる突条リング、分岐管接続部の下方にこれと一体にかつ当該分岐管接続部の厚みよりも厚みを薄くして形成され、下端外周に上方外向きに傾斜するテーパ部分を有しかつそこから分岐孔に挿入されるとともに、分岐管が内部に圧入される分岐孔挿入部、弾性材料からなり、分岐管接続部の外周に拡がって形成されるつば部、およびつば部と本管の外表面との間に設けられる粘着剤層を備え、分岐管接続部の内部に分岐管を圧入したときの分岐管接続部の厚みの圧縮率が１０％以上５０％以下となるように分岐管接続部の径寸法を設定した、分岐継手である。
【００１４】
第１の発明では、分岐継手（１８：実施例で相当する部分を例示する参照符号。以下同様。）は、コンクリート層（１２）内で本管（１４）に接続される。分岐継手（１８）は、短管状の分岐管接続部（２８）とその外側に拡がるつば部（３０）を有する。つば部（３０）と本管（１４）との間に設けた粘着剤層（３４）によって、つば部（３０）すなわち分岐継手（１８）を本管（１４）に取り付ける。
【００１５】
第１の発明によれば、分岐継手のつば部と本管の外表面とを粘着剤層を介して取り付けるようにしたため、分岐継手の本管への取り付けが容易である。このとき、本管の内水圧が継手のつば部と本管との間に作用しても、つば部はコンクリート層で支持されているため、つば部と粘着剤層は剥離することなく、分岐継手と本管の間の止水性は十分確保できる。しかも、分岐継手と本管とを粘着剤層を介して取り付けるようにしたため、たとえば、本管をポリエチレン管とし、分岐継手を塩化ビニルやゴムにする場合のように、接合剤や接着剤では取り付けられない材料の本管と分岐継手との組合せが利用できる。また、分岐継手や分岐管の取付け不良が発生したとき、分岐継手を本管から外して再度取り付けることができる。そのため、たとえばコンクリート層を形成する前の段階で分岐構造体の部分に異常や不良が発生したとき、あるいはそれらに経年的な不良が発生した場合、分岐継手を取り外して必要な修理または補修の後、再度取り付けることができる。さらに、粘着剤層の弾性により、熱伸縮による分岐継手の部分における応力集中を分散させて緩和することができるので、本管の分岐継手の取付け部分が破損したりする事故が大幅に減少する。
【００１８】
第２の発明は、本管に通水した水を分岐管を経て散水ノズルから散水させるために、前記本管に前記分岐管を接続する分岐継手であって、弾性材料からなり、分岐管の外径よりも小さくかつ本管に設けられた分岐孔に適合する内径を有する短管状に形成され、上端内周に下方内向きに傾斜するテーパ部分を有しかつそこから内部に分岐管が圧入される分岐管接続部、分岐管接続部の内周面に設けられ、分岐管接続部の内部に分岐管を圧入したときの圧縮率が分岐管接続部の厚みの圧縮率よりも大きくなるように設定されてその位置での分岐管との間の止水性を向上させる突条リング、分岐管接続部の下方にこれと一体にかつ当該分岐管接続部の厚みよりも厚みを薄くして形成され、下端外周に上方外向きに傾斜するテーパ部分を有しかつそこから分岐孔に挿入されるとともに、分岐管が内部に圧入される分岐孔挿入部、弾性材料からなり、分岐管接続部の外周に拡がって形成され、本管へ押し付けられるつば部、およびつば部と本管の外表面との間に設けられる粘着剤層を備え、分岐管接続部の内部に前記分岐管を圧入したときの分岐管接続部の厚みの圧縮率が１０％以上５０％以下となるように分岐管接続部の径寸法を設定した、分岐継手である。
【００１９】
第２の発明では、分岐継手（１８）は、本管（１４）に接続される。分岐継手（１８）は、短管状の分岐管接続部（２８）とその外側に拡がるつば部（３０）を有する。つば部（３０）と本管（１４）との間に設けた粘着剤層（３４）によって、つば部（３０）すなわち分岐継手（１８）を本管（１４）に取り付ける。このつば部が、本管へ押し付けられる。
【００２０】
第２の発明でも、第１の発明と同様の効果が期待できる。
【００２３】
第３の発明は、本管に取り付けられた第１または２の発明の分岐継手、分岐継手の分岐管接続部に挿入される分岐管、分岐管に装着される散水ノズル、および散水ノズルの上端開口を露出させて少なくとも分岐継手を被覆する固体層を備える、散水ブロックである。
【００２４】
第３の発明では、第１または２の発明の分岐継手（１８）を用い、その分岐継手が本管（１４）に取り付けられる。そして、分岐継手の分岐管接続部に散水ノズル（２２）を連結する。散水ノズルは分岐管（２０）のような接続管を介して間接的に、あるいは直接に分岐管接続部に接合される。固体層（１２）は散水ノズルの上端開口を露出させて少なくとも分岐継手を被覆する。本管に通水すると、散水ノズルから水が吐出される。
【発明の効果】
【００２５】
この発明によれば、分岐継手と本管とを粘着剤層を介して取り付けるため、取付け作業が簡単であり、またその状態でコンクリート層のような固体層で反力により押さえつけるようにしたので、安定した止水性能を発揮することができる、
この発明の上述の目的，その他の目的，特徴および利点は、図面を参照して行う以下の実施例の詳細な説明から一層明らかとなろう。
【発明を実施するための最良の形態】
【００２６】
図１に示すこの発明の一実施例の散水装置ブロック１０は、その断面が台形や矩形などの設置面が平面であるたとえば角柱形状のコンクリート層１２を含む。ただし、この図１は、散水ブロック１０の一部だけを示すものである。
【００２７】
コンクリート層１２の内部には本管１４が埋設される。この本管１４は、たとえば塩化ビニルやポリオレフィンなどの合成樹脂からなる樹脂管、あるいはステンレスや鋼鉄などからなる金属管であってよい。
【００２８】
本管１４には分岐孔１６が形成され、その分岐孔１６に関連して、コンクリート層１２内で、分岐継手１８が本管１４の外表面に取り付けられる。分岐継手１８は分岐管２０を接続するためのものであり、この分岐管２０もまた、たとえば塩化ビニルやポリオレフィンなどの合成樹脂からなる樹脂管、あるいはステンレスや鋼鉄などからなる金属管であってよい。
【００２９】
分岐管２０の下部が分岐継手１８に挿入され、分岐管２０の上端には、ゴム輪２４によって、たとえばステンレスや鋼鉄などからなる金属製の散水ノズル２２が装着される。この散水ノズル２２の上部は一例として漏斗状であり、下部にゴム輪２４を収容するゴム輪収容部２６が形成される。ゴム輪収容部２６にゴム輪２４を収容し、その状態で散水ノズル２２の下部に分岐管２０の上端を差し込むことによって、分岐管２０に散水ノズル２２を取り付ける。散水ノズル２２の上端開口はコンクリート層１４の上端面から露出する。
【００３０】
各々がこのような構造を有する複数の散水ブロック１０を、連結部１０２で直列に連結して本管１４どうしを水密に接続することにより、図２に示す散水装置１００を形成する。ただし、散水ブロック１０の直列連結構造自体はこの発明の要旨ではない。たとえば、先に挙げた特許文献３および４に開示された接合方法を採用してもよいし、本件出願人が特願２００６−４６４２４号で先に提案した接続構造を採用してもよい。この接続構造が限定されないという理由で、この図２では、散水ブロック１０どうしの接続または接合部分１０２について正確には図解していない。
【００３１】
また、１つの散水ブロック１０はその全長がたとえば５５００ｍｍ程度で、散水ノズル２２の設置間隔は約１０００ｍｍである。したがって、１つの散水ブロック１０に５個程度の散水ブロック１０が設けられるのであるが、図２では図面の簡略化のために、必ずしも正しい設置個数の散水ノズルを図示しているものではない、という点も併せて留意されたい。
【００３２】
図３には図１実施例で使用する分岐継手１８が詳細に示され、図３（Ａ）がその中心を通る縦断面図であり、図３（Ｂ）が上面を、図３（Ｃ）が底面を、それぞれ示す
分岐継手１８は、上述のように、本管１４に分岐管２０を接続するためのものであり、全体として、ゴムまたはエラストマなどの弾性材料の射出成形で形成される。ゴムとしてはたとえばスチレンブタジエンゴム（ＳＢＲ）などが用いられる。エラストマとしては塩化ビニルのエラストマなどが考えられる。
【００３３】
ただし、この分岐継手１８は上述のような弾性材料ではなく、たとえば塩化ビニルやポリエチレンなどの合成樹脂で形成されてもよい。
【００３４】
分岐継手１８は、分岐管２０が挿入される短管状の分岐管接続部２８を含む。この実施例では、分岐管２０の外径を一例として２２ｍｍとし、分岐管接続部２８の圧縮率（後述）を考慮して、分岐管接続部２８の内径は一例として１６ｍｍであり、外径は一例として３４ｍｍである。したがって、分岐管接続部２８の厚みは９．０ｍｍとなり、高さはおよそ２４ｍｍである。
【００３５】
分岐管接続部２８の外周には、円形に拡がるつば部３０が、この分岐管接続部２８と一体に形成される。つば部３０の外径は一例として８４ｍｍであり、厚みは一例として１ｍｍである。
【００３６】
分岐管接続部２８からつば部３０の下方に延びて分岐孔挿入部３２が、この分岐管接続部２８と一体的に形成される。分岐孔挿入部３２の内径は分岐管接続部２８の内径と同じ１６ｍｍであるが、外径は２５ｍｍであり、分岐孔挿入部３２の厚みは分岐管接続部２８の厚みに比べてかなり薄くされている。これは、分岐孔挿入部３２の分岐孔１６への挿入を容易にするためである。ただし、分岐孔挿入部３２の外径は、分岐孔挿入部３２が上述の分岐孔１６に挿入されるものであることを考えれば、当然に、分岐孔１６の内径と同じかそれよりやや小さくされる。分岐孔挿入部３２の高さは一例として１３ｍｍであるが、この高さも、分岐孔挿入部３２が分岐孔１６に挿入されることを考えれば、当然に、本管１４の肉厚と同じかやや短くされる。
【００３７】
なお、分岐継手１８が弾性材料ではなく、合成樹脂で形成される場合は、分岐孔挿入部３２の外径を分岐孔２６の径より少し小さくするとよい。そうすることで、粘着剤層３４の緩衝機能が維持され、熱伸縮による分岐継手１８の部分における応力集中を分散させることができ、分岐部を保護することができる。
【００３８】
また、分岐管接続部２８の上端内周および分岐孔挿入部３２の下端外周はいずれもテーパが形成されているが、前者は分岐管２０を挿入し易くするためであり、後者は分岐孔挿入部３２を挿入し易くするためであり、テーパはいずれも、なくすことも可能である。
【００３９】
このような分岐継手１８を用いて、図１に示す本管１４を分岐するためには、まず、所定長さの本管１４を準備する。
【００４０】
ついで、図示しないホールソーを用いて、本管１４の所定位置に所定内径の分岐孔１６を形成する。
【００４１】
他方、分岐継手１８のつば部３０の底面（下面）（図３（Ｃ））に、たとえばブチルゴム（未加硫）のような粘着剤からなる粘着剤層３４を形成する。この粘着剤の材料はブチルゴムに限るものではなく、同様の粘着性（わずかに圧力を加えただけで固体に付着する性質）を持つものであれば、ゴム系、アクリル系、シリコーン系の任意の粘着剤が利用可能である。粘着剤層３４の形成方法は、シート状にした粘着剤（たとえば両面テープ）を貼付する方法や、溶剤や水さらには高温で溶融状態にある粘着剤を塗布する方法などが考えられる。なお、このようにつば部３０の下面に粘着剤層３４を形成した状態のものも含めて「分岐継手」と呼ぶことがあることに留意されたい。
【００４２】
上述のように本管１４に分岐孔１６を穿設した後、分岐継手１８の分岐孔挿入部３２を分岐孔１６に差し込みまたは挿入する。そして、上述の粘着剤層３４によってつば部３０が分岐孔１６の周囲の本管１４の外表面に付着するまで分岐継手１８を押し込む。ただし、このとき、好ましくは、本管１４の、つば部３０の下方になる外表面に清浄処理が施されていて、該外表面に付着していたごみや土砂が除去される。粘着剤層３４による粘着力を低下させないためである。
【００４３】
ついで、図４に示すように、分岐管２０を分岐継手１８の分岐管接続部２８に挿入または圧入する。前述したように、分岐管接続部２８の内径がたとえば１６ｍｍ、外径がたとえば３４ｍｍとしたとき、分岐管接続部２８の厚みは９．０ｍｍ（＝（３４−１６）／２）となる。他方、分岐管２０の外径がたとえば２２ｍｍであるので、この分岐管２０を圧入したときの分岐管接続部２８の内径は２２ｍｍになる。また、分岐管接続部２８の外径は、分岐管接続部２８の剛性反力によってこの部分が外側に広がることはないので、３４ｍｍのままとなる。したがって、このときの分岐管接続部２８の厚みは６ｍｍ（＝（３４−２２）／２）となり、分岐管２０を差し込んだことによって分岐管接続部２８の厚みが３ｍｍつぶれた（圧縮された）ことになる。つまり、圧縮代が３ｍｍである。そのため、この実施例では、分岐継手１８の分岐管接続部２８の圧縮率は（３／９×１００＝）３３％となる。
【００４４】
つまり、圧縮率は、分岐管接続部２８の元の厚みに対する、分岐管２０を差し込んだときの圧縮代の比率と定義でき、分岐管接続部の圧縮率は１０％以上に設定すれば、分岐管２０と分岐管接続部２８との間の水密性を適切に維持することができる。
【００４５】
なお、この実施例で使用した弾性材料の硬度は、５０Ｈｓ（ＪＩＳＡ）程度である。
【００４６】
他の実施例では、分岐管接続部２８の外径を３４ｍｍとし、内径をたとえば２０．５ｍｍとすると、分岐管２０の外径が２２ｍｍであれば、圧縮率が１１．１％となる。分岐管接続部２８の元の厚み（３４−２０．５）／２＝６．７５ｍｍ、分岐管２０を挿入したときの分岐管接続部２８の厚み（３４−２２）／２＝６ｍｍ、圧縮代６．７５−６＝０７．５ｍｍとなり、圧縮率は０．７５／６．７５×１００＝１１．１％となる。
【００４７】
圧縮率は分岐継手１８と分岐管２０との間の止水性能にそのまま影響するので、圧縮率は大きい方が止水性を確保する上では望ましいが、圧縮率が５０％を超えると、分岐管２０の挿入にかなりの力が必要となるので、圧縮率の上限は、分岐管２０の挿入抵抗との兼ね合いで設計すればよい。
【００４８】
つまり、弾性材料の硬度が５０Ｈｓ（ＪＩＳＡ）の場合、分岐管接続部２８の圧縮率が１０％以上５０％以下となるように、分岐管２０および分岐管接続部２８の径寸法を設定することが望ましい。
【００４９】
また、分岐管接続部２８の圧縮率を変更するには、上述のようにそれ自身の内径を変更する他、外径を変更する方法、あるいは分岐管２０の外径を変更する方法などが考えられる。設計の仕様に応じて適宜変更可能である。
【００５０】
このようにして分岐継手１８の分岐管接続部２８に分岐管２０を差し込んだ後、図４では図示しないが、図１に示すように、分岐管２０の上端に散水ノズル２２を嵌め込んでゴム輪接合する。
【００５１】
最後に、図１に示すように、本管１４や分岐管２０などを、コンクリート層１２で覆う。つまり、図示しない型枠を用いてコンクリートを打設することによって、散水ノズル２２の漏斗状の上端開口が露出した状態で、本管１４、分岐継手１８、分岐管２０、散水ノズル２２をコンクリート層１２で覆うことができ、１つの散水ブロック１０が完成する。
【００５２】
各々がこのような構造を有する複数の散水ブロック１０を、連結部１０２で直列に連結することにより、図２に示す散水装置１００を形成する。そして、本管１４に通水すると、その水が本管１４から分岐管２０を経て散水ノズル２２に至り、コンクリート層１２から露出している散水ノズル２２の開口から外部に吐出される。このような散水装置は、融雪または消雪装置とし、さらにはヒートアイランド対策のための散水装置あるいは農園における灌漑用散水装置などとして利用され得る。
【００５３】
図１−図４で説明した実施例では、分岐継手１８のつば部３０と本管１４の外表面とを粘着剤層３４を介して取付けるようにしたため、この粘着剤層３４によって、つば部３０と本管１４との間の止水性が得られる。ただし、粘着剤層３４は力を与え続けられると剥離するので、本管１４や分岐管２０に通水したとき、その水圧で分岐継手１８が本管１４外表面から離脱してしまうことがある。しかしながら、実施例では、コンクリート層１２のような固体層で本管１４や分岐構造体の部分を含んで全体を被覆しているので、水圧によりつば部３０を押し上げる力が作用しても、固体層が分岐継手１８のつば部３０を上から本管１４に向かう反力を作用させ、たとえ両者を保持力の弱い粘着剤層３４を介して取付けたとしても、水圧で分岐継手１８が本管１４から剥離することはない。その意味で、実施例のコンクリート層１２は、レジンコンクリート、合成樹脂などの固体層に代えられてもよい。このような固体層は、少なくともつば部３０を、剥離する力に対抗して本管１４に向けて押し付ける（反力を生じさせる）ものである。
【００５４】
また、図１−図４で説明した実施例では、分岐継手１８と本管１４とを粘着剤層３４を介して取付けるようにしたため、たとえば、本管１４をポリエチレン管とし、分岐継手１８を塩化ビニルやゴムにする場合のように、接合剤や接着剤では取り付けられない材料の本管と分岐継手との組合せが利用できる。また、分岐継手１８や分岐管２０の取付け不良が発生したとき、分岐継手１８を本管１４から外して再度取り付けることができる。
【００５５】
そのため、たとえばコンクリート層１２を形成する前の段階で分岐構造体の部分に異常や不良が発生したとき、分岐継手１８を取り外して必要な修理または補修の後、再度取り付けることができる。
【００５６】
さらに、図２に示すような散水装置１００は通常車道に埋設され、その上を車両が走行するものであり、車両通行による繰り返し荷重が散水ノズル２２などの分岐構造体に作用することで、分岐継手１８の根元や散水ノズル２２などに経年的に不具合が生じることがある。
【００５７】
このような場合でも、たとえば図５に示すようにして修理ができる。たとえばホールソーなどでこの分岐構造体を被覆しているコンクリート層１２を除去して、分岐構造体が全体に露出するような穴３６を形成する。ただし、このとき、ホールソーなどで本管１４が損傷しないように気をつけなければならない。その後、分岐継手１８を本管１４から取り外し、分岐管２０や散水ノズル２２などの必要部品を取り替えて、または分岐継手１８、分岐管２０および散水ノズル２２の組合せ（すなわち、分岐構造体）を全体的に取り替えて、補修し、その後その穴３６をコンクリートで再度埋めればよい。
【００５８】
さらに、実施例のように分岐継手１８をゴムなどの弾性材料で形成することによって、熱伸縮による分岐継手１８の部分における応力集中を分散させて緩和することができるので、本管１４の分岐継手１８の取付け部分が破損したりする事故が大幅に減少する。
【００５９】
また、実施例のように分岐継手１８に分岐孔挿入部３２を設け、それを本管１４の分岐孔１６に挿入するようにすれば、この分岐孔挿入部３２によって分岐孔１６との間で止水性が或る程度期待できるし、さらには分岐孔挿入部３２による芯だし（位置決め）効果も期待できる。
【００６０】
図６はこの発明の他の実施例の分岐継手を示す。この図６実施例の分岐継手１８は、分岐管接続部２８の内周面に突状リング３８を形成した点を除いて、図３に示す分岐継手１８と同様である。したがって、重複する説明は省略する。
【００６１】
図３の実施例では分岐管接続部２８の全体の厚みに対する圧縮率が１０％以上になるように設定したが、圧縮率を大きくすればするほど止水性はよくなる反面、挿入時に大きな力を要するなど分岐管接続部２８への分岐管２０の挿入の困難性が増す。そこで、この図６実施例では突状リング３８の部分で比較的大きな圧縮率たとえば３０％を確保し、分岐管接続部２８の他の部分では比較的小さい圧縮率たとえば１０％になるようにし、止水性と分岐管２０の挿入容易性とのトレードオフの解決を図るようにしている。ただし、「圧縮率」については上で説明したと同じ考えが突状リング３８の部分にも適用される。
【００６２】
図７はこの発明の他の実施例の分岐継手を示す。この図７実施例の分岐継手１８は、分岐孔挿入部３２を除去した点を除いて、図６に示す分岐継手１８と同様である。したがって、重複する説明は省略する。ただし、この図７実施例において、図３実施例のように突状リング３８も除去することができる。
【００６３】
図７実施例で突状リング３８を除去した場合、あるいは図３実施例のように突条リングが形成されていない場合、分岐管接続部２８における圧縮率および水圧の大きさによっては分岐管２０と分岐継手１８との間から漏水することも考えられるが、その場合には、図８に示すように、分岐管接続部２８に分岐管２０を挿入した状態で分岐管接続部２８を外からたとえばＳＵＳバンドや番線あるいは樹脂帯のように締付手段４０によって締め付け、分岐管接続部２８における圧縮率が確保できるようにすればよい。
【００６４】
なお、上で挙げた角度や寸法の具体的数値はいずれも単なる一例であり、必要に応じて適宜変更可能である。
【００６５】
また、図６−図８に示す各実施例において、つば部３０の下面に粘着剤層３４を形成していることは図１−図４実施例と同様である。
【００６６】
さらに、上述の実施例ではそれぞれ別体の散水ノズルを分岐管に装着することによって本管１４に散水ノズル２２を分岐接続するようにしたが、分岐管２０の先端に散水ノズル２２が一体に形成されていて、その一体物を分岐継手１８の分岐管接続部２８に挿入するようにしてもよい。
【図面の簡単な説明】
【００６７】
【図１】図１はこの発明の一実施例の散水ブロックを示す断面図である。
【図２】図２は図１の散水ブロックを用いた散水装置を示す図解図である。
【図３】図１の分岐継手を詳細に示す図解図で、図３（Ａ）が縦断面図、図３（Ｂ）が上面図、図３（Ｃ）が底面図である。
【図４】図１実施例の要部を示す図解図である。
【図５】図１実施例において分岐構造体の部分を修理する方法の一例を示す図解図である。
【図６】図６はこの発明の他の実施例の分岐継手を示す断面図である。
【図７】図７はこの発明のさらに他の実施例の分岐継手を示す断面図である。
【図８】図８はこの発明のその他の実施例の分岐継手を示す断面図である。
【符号の説明】
【００６８】
１０  …散水ブロック
１２  …コンクリート層
１４  …本管
１６  …分岐孔
１８  …分岐継手
２０  …分岐管
２２  …散水ノズル
３０  …つば部
３２  …分岐孔挿入部
３４  …粘着剤層
３８  …突条リング
１００…散水装置
【図１】
0005178091.tif 000002
【図２】
0005178091.tif 000003
【図３】
0005178091.tif 000004
【図４】
0005178091.tif 000005
【図５】
0005178091.tif 000006
【図６】
0005178091.tif 000007
【図７】
0005178091.tif 000008
【図８】
0005178091.tif 000009